(57)【要約】【課題】組立て過程において、本体部を倒立姿勢とした際に装着キャップを適切な位置に保持することで作業性を高め、生産性を向上させることが可能なトリガー式液体噴出器を提供する。【解決手段】本発明のトリガー式液体噴出器１は、容器Ｃの口部に取り付けられる装着キャップ２を有し、操作レバー６の牽曳を繰り返して本体部３に設けたポンプを駆動させ該容器Ｃ内の内容液を吸引、加圧、圧送して内容液を噴出させるトリガー式液体噴出器１であって、装着キャップ２は、本体部３の下方に設けた連結筒部１０ａを挿通させる開口２ｃを有し、且つ、該連結筒部１０ａの外周面から径方向外側に延在するフランジ１０ｂに抜け止め保持される天壁２ｄと、該天壁２ｄの外縁部から垂下する円筒状の側壁６ｂとを有し、連結筒部１０ａは、その外周面から突出し、本体部３の倒立姿勢で装着キャップ２の天壁２ｄを支持する支持部を有する。【選択図】図２
2015164858.tif 000002
【特許請求の範囲】
【請求項１】
容器の口部に取り付けられる装着キャップを有し、操作レバーの牽曳を繰り返して本体部に設けたポンプを駆動させ該容器内の内容液を吸引、加圧、圧送して内容液を噴出させるトリガー式液体噴出器であって、
前記装着キャップは、前記本体部の下方に設けた連結筒部を挿通させる開口を有し、且つ、該連結筒部の外周面から径方向外側に延在するフランジに抜け止め保持される天壁と、該天壁の外縁部から垂下する円筒状の側壁と、を有し、
前記連結筒部は、その外周面から突出し、前記本体部の倒立姿勢で該装着キャップの天壁を支持する支持部を有する、トリガー式液体噴出器。
【請求項２】
前記支持部が、前記本体部の前方側に設けられた前方リブと、両側方側にそれぞれ設けられた側方リブを含む、請求項１に記載のトリガー式液体噴出器。
【請求項３】
前記連結筒部は、その外周面の背面側から突出し、前記本体部の倒立姿勢で前記開口の縁部よりも内側に位置する後方リブを有する、請求項１又は２に記載のトリガー式液体噴出器。
【発明の詳細な説明】
【技術分野】
【０００１】
本発明は、トリガー式液体噴出器に関するものであり、特に、組立て時の作業性を向上させるための技術に関する。
【背景技術】
【０００２】
黴取り剤や洗剤、衣料用糊剤、住居用ワックス、整髪剤、芳香剤、忌避剤、農薬、薬品等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【０００３】
かかる噴出器は、本体部の下部に設けた連結筒部と、連結筒部に設けたフランジに抜け止めされるとともに本体部の連結筒部に対して回動自在に取り付けられる装着キャップとを備えていて、容器の口部に連結筒部を挿入するようにして装着キャップを口部の外周にあてがい、本体部を保持したまま装着キャップのみを回転させることで、噴出器のノズルを所定の方向に向けた状態で容器へ装着することができる。
【先行技術文献】
【特許文献】
【０００４】
【特許文献１】特開平１１−２９０７３１号公報
【発明の概要】
【発明が解決しようとする課題】
【０００５】
ところで、上記のような噴出器の組立て過程において、装着キャップを取り付けた本体部を倒立姿勢に保持する場合がある。このような場合において、図３に示すように、本体部１０３の連結筒部１０３ａの外周側に配置した装着キャップ１０２が、本体部１０３に対して斜めに落ち込んでしまい、その後の組立て作業の効率を悪化させ、生産性の低下を招く虞があった。
【０００６】
それゆえ本発明は、組立て過程において、本体部を倒立姿勢とした際に装着キャップを適切な位置に保持することで作業性を高め、生産性を向上させることが可能なトリガー式液体噴出器を提供することを目的とする。
【課題を解決するための手段】
【０００７】
本発明は、上記課題を解決するためになされたものであり、本発明のトリガー式液体噴出器は、容器の口部に取り付けられる装着キャップを有し、操作レバーの牽曳を繰り返して本体部に設けたポンプを駆動させ該容器内の内容液を吸引、加圧、圧送して内容液を噴出させるトリガー式液体噴出器であって、
前記装着キャップは、前記本体部の下方に設けた連結筒部を挿通させる開口を有し、且つ、該連結筒部の外周面から径方向外側に延在するフランジに抜け止め保持される天壁と、該天壁の外縁部から垂下する円筒状の側壁とを有し、
前記連結筒部は、その外周面から突出し、前記本体部の倒立姿勢で該装着キャップの天壁を支持する支持部を有することを特徴とする。
【０００８】
また、本発明に係るトリガー式液体噴出器にあっては、前記支持部が、前記本体部の前方側に設けられた前方リブと、両側方側にそれぞれ設けられた側方リブを含むことが好ましい。
【０００９】
また、本発明に係るトリガー式液体噴出器にあっては、前記連結筒部が、その外周面の後方側から突出し、前記本体部の倒立姿勢で前記開口の縁部よりも内側に位置する後方リブを有することが好ましい。
【発明の効果】
【００１０】
本発明によれば、組立て過程において、本体部を倒立姿勢とした際に装着キャップを適切な位置に保持することで作業性を高め、生産性を向上させることが可能なトリガー式液体噴出器を提供することができる。
【図面の簡単な説明】
【００１１】
【図１】本発明に従うトリガー式液体噴出器の一実施形態を示す、側面視での断面図である。
【図２】図１に示すトリガー式液体噴出器の組立て過程において、本体部に装着キャップを組み付けた状態で、倒立姿勢に保持した様子を示す図であり、（ａ）は側面図、（ｂ）は正面図である。
【図３】従来のトリガー式液体噴出器に関し、本体部に装着キャップを組み付けた状態で、倒立姿勢に保持した様子を示す側面図である。
【発明を実施するための形態】
【００１２】
以下、図面を参照して、本発明をより具体的に説明する。なお、本願明細書、特許請求の範囲、要約書、及び図面では、後述するカバーの頂壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方とする。
【００１３】
図１における符号１は、トリガー式液体噴出器の一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプの駆動にて容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、操作レバー６に復元力を付与するバネ部材７と、本体部３の上方及び側方を覆うカバー８とを備えている。
【００１４】
装着キャップ２は、円筒状となる側壁２ａの内面に、容器Ｃの口部に設けたねじ部に適合するねじ部２ｂを有している。また、側壁２ａの上方には、中央部に開口２ｃを有する天壁２ｄが設けられている。天壁２ｄにおける開口２ｃの縁部には、径方向内側に向かって下向きに傾斜する天壁テーパ部２ｅが設けられている。
【００１５】
本実施形態において本体部３は、複数の部材から構成されていて、装着キャップ２は、その一つをなすボディ１０に取り付けられる。ボディ１０は、開口２ｃに挿通される円筒状の連結筒部１０ａを有し、連結筒部１０ａの外周面には、径方向外側に延在するフランジ１０ｂが設けられている。フランジ１０ｂの下方には、容器Ｃの口部上端とフランジ１０ｂとで挟持されるパッキンが設けられている。また連結筒部１０ａの上方には、連結筒部１０ａよりも小径となる縦筒１０ｃが設けられていて、縦筒１０ｃの上方には、前方に向けて延在し、縦筒１０ｃに連通する横筒１０ｄが設けられ、横筒１０ｄの前端部にノズル５が設けられている。
【００１６】
横筒１０ｄには、側面視にてＵ字状をなす上方開放の溝部１０ｅが設けられている。そして、横筒１０ｄの下方には、縦筒１０ｃから前方に向けて突出する円筒状の嵌合壁１０ｆが設けられている。
【００１７】
また、縦筒１０ｃの内側には、インテイク１１の筒部１１ａが配置されている。さらに、インテイク１１の筒部１１ａの内側には、ポンプによって吸引された内容液の逆流を防止する第１逆止弁１１ｂ及び第２逆止弁１１ｃが設けられている。第１逆止弁１１ｂは、ポンプ機能により内容液を吸引する際には開状態となり、吸引した内容液を加圧、圧送するときは閉状態となる。一方、第２逆止弁１１ｃは、ポンプ機能により容器Ｃの内容液を吸引する際には閉状態となり、吸引した内容液をノズル５に向けて加圧、圧送するときは開状態となる。
【００１８】
ここで、本実施形態においてパイプ４とインテイク１１の間には、容器Ｃが正立姿勢および倒立姿勢のいずれにおいてもこの容器Ｃ内の内容液を本体部３に供給可能とする正倒立両用機構Ｘが設けられている。この正倒立両用機構Ｘは、容器Ｃの口部内側に配置される弁付き筒部材１４と、弁付き筒部材１４の下方に配置されるパイプ取付け部材１５とを備えている。
【００１９】
弁付き筒部材１４は、インテイク１１の筒部１１ａの内側に配置される内筒１６ａを有する吸込み部材１６と、内筒１６ａ下部の外側に配置される外筒１７ａを有する弁部材１７とで構成され、吸込み部材１６と弁部材１７の間に形成される弁室Ｖには弁体１８が配置されている。吸込み部材１６には、弁室Ｖと容器Ｃの内部とを連通させる倒立時吸込み穴１６ｂが形成され、弁部材１７には、容器Ｃの正立姿勢において弁体１８に閉塞され、容器Ｃの倒立姿勢において解放される貫通穴１７ｂが形成されている。
【００２０】
パイプ４が連結されるパイプ取付け部材１５は、弁部材１７を挟むように吸込み部材１６に対して下方から嵌合し、弁部材１７との間に倒立時用流路１９を形成する。倒立時用流路１９は、内筒１６ａを介してインテイク１１の筒部１１ａに連通している。
【００２１】
また、ボディ１０の嵌合壁１０ｆの内側には、シリンダー部材１２が設けられている。シリンダー部材１２は、嵌合壁１０ｆに嵌合保持される円筒状のシリンダー筒１２ａと、シリンダー筒１２ａの径方向内側に設けられる円筒状の区画筒１２ｂとを同心二重配置で設けたものであり、シリンダー筒１２ａと区画筒１２ｂとの後方側は、奥壁１２ｃでつながっている。
【００２２】
奥壁１２ｃには、縦筒１０ｃに設けた穴に入り込むとともにインテイク１１の穴１１ｄに連通する穴１２ｄが設けられている。更に、図示は省略するが、シリンダー筒１２ａには、シリンダー筒１２ａの内外を連通させるとともに、嵌合壁１０ｆとシリンダー筒１２ａとの間に形成される隙間を介して嵌合壁１０ｆの穴１０ｈに連通する外気導入口が側面側に設けられている。
【００２３】
シリンダー部材１２の内側には、シリンダー部材１２の内側を封止してシリンダー室Ｒを形成するピストン１３が配置されている。ピストン１３は、シリンダー筒１２ａの内周面に摺動可能に当接する環状の摺動部１３ａを有していて、摺動部１３ａには、前方に向けて延在するとともに前方側の端部を閉塞した周壁部１３ｂが設けられている。なお、摺動部１３ａは、操作レバー６が牽曳されていない状態において、シリンダー部材１２の外気導入口を塞ぐ。
【００２４】
このように本実施形態では、ボディ１０、インテイク１１、正倒立両用機構Ｘ、シリンダー部材１２、ピストン１３によって、ポンプ機能を有する本体部３を構成している。
【００２５】
本実施形態において操作レバー６は、前壁６ａ及び前壁６ａの両側方に設けられる一対の側壁６ｂを有している。また、操作レバー６は、ボディ１０の横筒１０ｄに設けられた一対の溝部１０ｅに対して揺動可能に連係する一対の円柱状の枢支軸６ｃを有する。また操作レバー６には、ピストン１３の係合凹部１３ｃに連係する円柱状の凸部６ｄが設けられている。
【００２６】
バネ部材７は、円柱状の軸部７ａと、軸部７ａの両端から延びて湾曲する一対のアーム７ｂとが一体に形成されたものである。本実施形態のバネ部材７は樹脂材料により形成されたものとすることができるが、これに限定されるものではない。
【００２７】
図１に示すように、軸部７ａは、ボディ１０の横筒１０ｄと嵌合壁１０ｆの間に設けられた軸受部１０ｇに揺動可能に保持され、一対のアーム７ｂは横筒１０ｄを挟むように両側に配置される。先端部７ｃは、操作レバー６の前壁６ａに後方から当接し、側壁６ｂの内面に設けられた支持リブ６ｅによって、下方から支持される。なお、支持リブ６ｅは、操作レバー６を牽曳することにより、アーム７ｂの先端部７ｃを軸部７ａ側に向けて押し付ける押圧部として機能する。
【００２８】
なお、バネ部材７を本体部３に対して揺動可能に保持する構成は、本実施形態の構成に限定されず、例えばバネ部材７側に軸受部を設け、本体部３側に当該軸受部に連係する軸部を設けた構成としてもよい。また、バネ部材７は、本体部３に一端部を固定する構成とすることも可能である。
【００２９】
本実施形態のトリガー式液体噴出器１は、初期状態から操作レバー６を牽曳してピストン１３をシリンダー部材１２に対して後退させると、シリンダー室Ｒ内の液体が加圧され、加圧された液体は穴１２ｄ、１１ｄ、第２逆止弁１１ｃを通過し、横筒１０ｄの内部を経てノズル５から外界に噴射される。その後、操作レバー６を解放すると、該操作レバー６はバネ部材７の復元力によって前方に揺動し、これに追従してピストン１３もシリンダー部材１２に対して前進してシリンダー室Ｒ内が負圧となる。これにより、容器Ｃ内の液体が正立姿勢ではパイプ４を介して、倒立姿勢では倒立時吸込み穴１６ｂ、貫通穴１７ｂ、倒立時用流路１９を介して吸い上げられ、第１逆止弁１１ｂを押し上げてシリンダー室Ｒ内に流入する。このような操作レバー６の牽曳と解放を繰返すことにより、容器Ｃ内の液体をノズル５から連続的に噴射することができる。なお、初期状態から操作レバー６を牽曳した牽曳状態となるまでの間に、アーム７ｂは弾性変形するとともに軸部７ａを中心として揺動する。
【００３０】
更に、本実施形態の連結筒部１０ａについて、図２（ａ）（ｂ）を参照して詳細に説明する。図２（ａ）（ｂ）は、トリガー式液体噴出器１の組立て過程において、本体部３に装着キャップ２を組み付けた状態で、倒立姿勢に保持した様子を表し、図２（ａ）は側面図、（ｂ）は正面図である。
【００３１】
連結筒部１０ａは、外周面の前方側から前方に向けて突出する前方リブ３０及び両側方側から側方に向けて突出する一対の側方リブ３１を有する。前方リブ３０は、図示のように、連結筒部１０ａの外周面と嵌合壁１０ｆの外周面とを連結し、連結筒部１０ａの軸線Ｌに垂直な水平支持面３０ａ、軸線Ｌに対して傾斜する傾斜支持面３０ｂ、軸線Ｌに平行な内側支持面３０ｃを有する。図２（ａ）に示す倒立姿勢において、水平支持面３０ａが装着キャップ２の天壁２ｄに当接し、傾斜支持面３０ｂが天壁テーパ部２ｅに当接することで、装着キャップ２を支持している。図示のように、本実施形態においては、倒立姿勢で傾斜支持面３０ｂが天壁テーパ部２ｅと平行となるよう構成されている。
【００３２】
また、側方リブ３１の先端には、倒立姿勢において天壁テーパ部２ｅに当接して、天壁２を支持する先端支持面３１ａが形成されており、図２（ｂ）に示すように、本実施形態において先端支持面３１ａは天壁２ｄの天壁テーパ部２ｅと平行となるよう形成されている。本実施形態のトリガー式液体噴出器１においては、前方リブ３０及び側方リブ３１が、倒立姿勢において装着キャップ２を支持する支持部として構成されている。
【００３３】
さらに、本実施形態において連結筒部１０ａは、その外周面の後方側から突出する後方リブ３２を有する。後方リブ３２は、図２（ａ）に示すように、倒立姿勢において天壁テーパ部２ｅの開口の縁部よりも内側に位置して、連結筒部１０ａの外周面と装着キャップ２の天壁２ａとの隙間を低減する役割を果たしている。すなわち、連結筒部１０ａに対する装着キャップ２の径方向のがたつきを防止している。なお、本実施形態ではこのように径方向のがたつきを防止するリブを後方側にのみ設けたが、他の位置に複数設けてもよい。
【００３４】
なお、本実施形態において側方リブ３１の下方には、側方リブ３１よりも高さの低い小リブ３３が設けられており、側方リブ３１と小リブ３３の間に図１に示すカバー８の底壁８ａを挟むことで、カバー８の装着性を高めている。
【００３５】
上記構成を有する本実施形態のトリガー式液体噴出器１においては、連結筒部１０ａの外周面から突出し、倒立姿勢において装着キャップ２の天壁２ｄを支持する支持部を設けたことにより、組立て過程において倒立姿勢とした際に、装着キャップ２が本体部３に対して斜めに落ち込むことを抑制し、装着キャップ２を適切な位置に保持して作業性を向上させることができる。
【００３６】
また、本実施形態では、装着キャップ２を支持するための支持部として、前方リブ３０及び一対の側方リブ３１を設けたことにより、装着キャップ２が前方側、側方側に落ち込むことを確実に抑制し、より確実に装着キャップ２を適切な位置に保持して作業性を向上させることができる。また、前方リブ３０を装着キャップ２の天壁２ｄの外形に対応する形状としたことにより前方リブ３０が装着キャップ２を支持する面の面積を増大させ、より安定した状態で装着キャップ２を保持することができる。
【００３７】
また、本実施形態のトリガー式液体噴出器１にあっては、倒立姿勢において天壁２ｄの開口の縁部よりも内側に位置して、連結筒部１０ａの外周面と装着キャップ２の天壁２ｄとの隙間を低減する後方リブ３２を設けたことにより、装着キャップ２をより適切な位置で保持し、装着キャップ２が後方側に傾いて落ち込むことをより確実に抑制することができる。
【００３８】
さらに、本実施形態のトリガー式液体噴出器１にあっては、図２（ａ）、（ｂ）に示すように、前方リブ３０及び側方リブ３１を前後方向にアンダーカットとならない形状とし、後方リブ３２を上下方向にアンダーカットとならない形状としている。従来より、本体部３のボディ１０を射出成形する際の金型の抜き方向は、ボディ１０の前方側を前後方向とし、ボディ１０の後方側を上下方向としているため、各リブを上記のような構成としたことにより、従来の金型構造を変更することなく、新たな作用、効果を付加したトリガー式液体噴出器１を提供することができる。
【００３９】
以上、図示例に基づき説明したが、本発明は上述の実施形態に限定されるものでなく、特許請求の範囲の記載範囲内で適宜変更することができる。例えば、本実施形態では支持部を前方リブ３０及び側方リブ３１で構成したが、例えば、連結筒部１０ａの外周面の全周にわたって延在するリブで構成することも可能であり、その場合、より確実に装着キャップ２の傾きを抑制することができる。また、操作レバー６、バネ部材７の構造やポンプ機能を発揮するための本体部３の内部構造は、本実施形態のものに限られず、通常使用される他の構造を用いることができる。
【００４０】
１  トリガー式液体噴出器
２  装着キャップ
２ａ  側壁
２ｂ  ねじ部
２ｃ  開口
２ｄ  天壁
２ｅ  天壁テーパ部
３  本体部
４  パイプ
５  ノズル
６  操作レバー
６ａ  前壁
６ｂ  側壁
６ｃ  枢支軸
６ｄ  凸部
６ｅ  支持リブ
７  バネ部材
７ａ  軸部
７ｂ  アーム
７ｃ  先端部
８  カバー
１０  ボディ
１０ａ  連結筒部
１０ｂ  フランジ
１０ｃ  縦筒
１０ｄ  横筒
１０ｅ  溝部
１０ｆ  嵌合壁
１０ｇ  軸受部
１０ｈ  穴
１１  インテイク
１１ａ  筒部
１１ｂ  第１逆止弁
１１ｃ  第２逆止弁
１１ｄ  穴
１２  シリンダー部材
１２ａ  シリンダー筒
１２ｂ  区画筒
１２ｃ  奥壁
１２ｄ  穴
１３  ピストン
１３ａ  摺動部
１３ｂ  周壁部
１３ｃ  係合凹部
１４  弁付き筒部材
１５  パイプ取付け部材
１６  吸込み部材
１６ａ  内筒
１６ｂ  倒立時吸込み穴
１７  弁部材
１７ａ  外筒
１７ｂ  貫通穴
１８  弁体
１９  倒立時用流路
３０  前方リブ
３０ａ  水平支持面
３０ｂ  傾斜支持面
３０ｃ  内側支持面
３１  側方リブ
３１ａ  先端支持面
３２  後方リブ
３３  小リブ
Ｃ  容器
Ｌ  軸線
Ｒ  シリンダー室
Ｖ  弁室
Ｘ  正倒立両用機構
【図１】
2015164858.tif 000003
【図２】
2015164858.tif 000004
【図３】
2015164858.tif 000005